(57)【要約】【課題】  互換性や部品の共用化を阻害することなく、一対の回動翼片等の作動体を円滑に作動させることのできる遊技機用ソレノイドと、それを用いた遊技機用入賞装置を提供する。【解決手段】  プランジャ１４Ｌ，１４Ｒは、コイルスプール１２Ｌ，１２Ｒの内側にそれぞれ挿入・配置されている。プランジャ１４Ｌ，１４Ｒは、コイル１３Ｌ，１３Ｒの通電時に発生する磁気的吸引力によって、盤面１００から遠ざかる向きに移動して対応する回動翼片６Ｌ，６Ｒを選択的に（個別に又は同時に）回動変位させる。圧縮コイルばね１５Ｌ，１５Ｒは、プランジャ１４Ｌ，１４Ｒのフランジ部１４ｂとヨーク１１との間に介装され、プランジャ１４Ｌ，１４Ｒを盤面１００に近づける向きに常時付勢している。【選択図】  図２
2006181082.tif 000002
【特許請求の範囲】
【請求項１】
磁路を形成するとともに外枠を構成する一体構造のヨークと、
そのヨークに両端部を保持され、互いの軸線が平行状に配置された筒状部を有する複数のコイルスプールと、
各コイルスプールの筒状部の外周にそれぞれ個別に巻線され、電源に対して並列に接続される複数のコイルと、
各コイルスプールの筒状部の内側にそれぞれ配置され、前記コイルの通電時に発生する磁気的吸引力によって、遊技盤の盤面に配置された複数の作動体を選択的に作動させる複数のプランジャと、を備え、
各々の前記コイルがその通電により対応する前記プランジャに及ぼす磁気的吸引力により、各々のプランジャが個別に独立して又はそのうちのいくつかのプランジャが同時に移動可能であることを特徴とする遊技機用ソレノイド。
【請求項２】
前記複数のコイルスプールは、その軸線方向の巻線部長さ及び筒状部の外径がそれぞれ互いに等しく形成され、
前記複数のコイルは、その巻線径及び巻数がそれぞれ互いに等しく形成され、かつ巻線の方向及び励磁電流の通電方向がそれぞれ互いに共通とされ、
前記複数のプランジャは、その前記筒状部への挿入部の外径が互いに等しく形成されている請求項１に記載の遊技機用ソレノイド。
【請求項３】
遊技盤の盤面の裏側に配置され、磁路を形成するとともに外枠を構成する一体構造のヨークと、
そのヨークに両端部を保持され、互いの軸線が平行状に配置された筒状部を有するとともに、その軸線方向の巻線部長さ及び筒状部の外径がそれぞれ互いに等しく形成される一対のコイルスプールと、
各コイルスプールの筒状部の外周にそれぞれ個別に巻線され、電源に対して並列に接続されるとともに、その巻線径及び巻数がそれぞれ互いに等しく形成され、かつ巻線の方向及び励磁電流の通電方向がそれぞれ互いに共通とされる一対のコイルと、
各コイルスプールの筒状部の内側にそれぞれ配置され、前記コイルの通電時に発生する磁気的吸引力によって、前記盤面に配置された一対の作動体を選択的に作動させるとともに、その前記筒状部への挿入部の外径が互いに等しく形成されている一対のプランジャと、を備え、
各々の前記コイルがその通電により対応する前記プランジャに及ぼす磁気的吸引力により、一対のプランジャが個別に独立して又は一対のプランジャが同時に移動可能であることを特徴とする遊技機用ソレノイド。
【請求項４】
請求項３に記載の遊技機用ソレノイドの軸線が前記盤面と直交する方向に配置された遊技機用入賞装置であって、
前記盤面に配置され、その盤面と直交する方向の回動軸線周りでの回動変位により遊技球の入球のし易さが変化する前記作動体としての一対の回動翼片と、
前記遊技機用ソレノイドのプランジャの駆動力を前記回動翼片に伝達するために、前記盤面と直交する方向に延びてその回動翼片と係合する作動アームをそれぞれ有する一対の伝動機構と、を備え、
前記遊技機用ソレノイドの一対のプランジャは、前記一対の伝動機構を介して前記一対の回動翼片をその回動軸線周りで個別に独立して又は同時に回動変位させることを特徴とする遊技機用入賞装置。
【請求項５】
前記一対のプランジャの軸線間距離をＬ１とし、前記作動アームと回動翼片とが係合して形成される一対の係合位置の水平方向の離間距離をＬ２とし、前記一対の回動翼片の回動軸線間距離をＬ３としたとき、
Ｌ１≦Ｌ２＜Ｌ３
を満足するように構成されている請求項４に記載の遊技機用入賞装置。
【発明の詳細な説明】
【技術分野】
【０００１】
本発明は、遊技機用ソレノイド（特にプランジャ型ＤＣソレノイド）とそれを用いた遊技機用入賞装置に関する。
【背景技術】
【０００２】
例えば、電動チューリップ等の遊技機用入賞装置において、一対の回動翼片（羽根、可動翼片とも称する）を独立して（個別に）回動させることにより、遊技機に変化を持たせ遊技者の興趣を高めることが提案されている（特許文献１，２参照）。
【０００３】
【特許文献１】特開２００１−２５９１４８号公報
【特許文献２】特開２００２−２７２９４８号公報
【０００４】
このような入賞装置では、一対の回動翼片を２個のソレノイドやステッピングモータにより（特許文献１）、又は２個のロータリーソレノイドにより（特許文献２）それぞれ個別に作動させるように構成されている。ところで、電動チューリップ等の入賞装置においては、遊技球の直径に対応させて（基づいて）回動翼片自身の大きさや回動軸線間距離を設定する場合が多い。したがって、これらの駆動源を並べて各回動翼片を作動させようとすると、回動翼片や回動軸線間距離を大きくしなければならなくなり、入賞装置ひいては盤面配置全体の設計変更を要するとともに、盤面上に配置可能な入賞装置数が減少して盤面上での遊技態様の多様性が抑制されるおそれもある。また、従来機との互換性や部品の共用化を阻害し、リサイクルの促進にも悪影響を及ぼす可能性がある。
【発明の開示】
【発明が解決しようとする課題】
【０００５】
本発明の課題は、互換性や部品の共用化を阻害することなく、一対の回動翼片等の作動体を円滑に作動させることのできる遊技機用ソレノイドと、それを用いた遊技機用入賞装置を提供することにある。
【課題を解決するための手段及び発明の効果】
【０００６】
上記課題を解決するために、本発明の遊技機用ソレノイドは、
磁路を形成するとともに外枠を構成する一体構造のヨークと、
そのヨークに両端部を保持され、互いの軸線が平行状に配置された筒状部を有する複数のコイルスプールと、
各コイルスプールの筒状部の外周にそれぞれ個別に巻線され、電源に対して並列に接続される複数のコイルと、
各コイルスプールの筒状部の内側にそれぞれ配置され、前記コイルの通電時に発生する磁気的吸引力によって、遊技盤の盤面に配置された複数の作動体を選択的に作動させる複数のコイルと、を備え、
各々の前記コイルがその通電により対応する前記プランジャに及ぼす磁気的吸引力により、各々のプランジャが個別に独立して又はそのうちのいくつかのプランジャが同時に移動可能であることを特徴とする。
【０００７】
このような遊技機用ソレノイドによれば、単一のヨークに対して、コイルスプール、コイル及びプランジャをそれぞれ複数有しているので、複数の作動体を選択的に独立して（個別に）作動させ、遊技機の遊技態様に変化を与えることができる。また、単一のヨークにこれらの構造を組み込めるので、従来の遊技機との互換性や部品の共用化を図ることもできる。なお、このような遊技機用ソレノイドは、遊技盤の盤面の裏側において盤面と直交する方向にコンパクトに配置してもよい。このような場合には、中央液晶表示盤を始め盤面に装着された多数の遊技部品の作動を制御するために、盤面の裏側において、制御基板等の取り付け空間を確保することも容易になる。
【０００８】
そのために、複数のコイルスプールにおいて、その軸線方向の巻線部長さ及び筒状部の外径をそれぞれ互いに等しく形成し、複数のコイルにおいて、その巻線径及び巻数をそれぞれ互いに等しく形成し、かつ巻線の方向及び励磁電流の通電方向をそれぞれ互いに共通とし、複数のプランジャにおいて、その筒状部への挿入部の外径（筒状部の内径）を互いに等しく形成することが望ましい。これにより、コイルスプール、コイル、プランジャ等を組み立てる際に、統一された寸法等によって製造時間の短縮を図ることができる。また、各コイルに単独で励磁電流を通電したときには、磁界の強さ（磁束密度）が一定となるので、プランジャを吸引する磁気的吸引力（すなわち、プランジャの作動）にコイル毎の不安定さを生じない。一方、複数のコイルに同時に通電したときには、各コイルで発生する磁界（磁束）が互いに打ち消し合う方向に作用しない（すなわち、各コイルのＮ極とＳ極とが同じ方向に形成される）ので、プランジャを吸引する磁気的吸引力（すなわち、プランジャの作動）に通電態様毎の不安定さを生じない。
【０００９】
そして、上記課題を解決するために、本発明の遊技機用ソレノイドは、具体的に、
遊技盤の盤面の裏側に配置され、磁路を形成するとともに外枠を構成する一体構造のヨークと、
そのヨークに両端部を保持され、互いの軸線が平行状に配置された筒状部を有するとともに、その軸線方向の巻線部長さ及び筒状部の外径がそれぞれ互いに等しく形成される一対のコイルスプールと、
各コイルスプールの筒状部の外周にそれぞれ個別に巻線され、電源に対して並列に接続されるとともに、その巻線径及び巻数がそれぞれ互いに等しく形成され、かつ巻線の方向及び励磁電流の通電方向がそれぞれ互いに共通とされる一対のコイルと、
各コイルスプールの筒状部の内側にそれぞれ配置され、前記コイルの通電時に発生する磁気的吸引力によって、前記盤面に配置された一対の作動体を選択的に作動させるとともに、その前記筒状部への挿入部の外径が互いに等しく形成されている一対のプランジャと、を備え、
各々の前記コイルがその通電により対応する前記プランジャに及ぼす磁気的吸引力により、一対のプランジャが個別に独立して又は一対のプランジャが同時に移動可能であることを特徴とする。
【００１０】
このような遊技機用ソレノイドでは、コイルスプール、コイル、プランジャ等を一対ずつ設けるにもかかわらず、統一された寸法等によって製造時間の短縮が図れ、また、従来の遊技機との互換性や部品の共用化も図れる。
【００１１】
したがって、このような遊技機用ソレノイドの軸線が盤面と直交する方向に配置された遊技機用入賞装置は、
盤面に配置され、その盤面と直交する方向の回動軸線周りでの回動変位により遊技球の入球のし易さが変化する作動体としての一対の回動翼片と、
遊技機用ソレノイドのプランジャの駆動力を回動翼片に伝達するために、盤面と直交する方向に延びてその回動翼片と係合する作動アームをそれぞれ有する一対の伝動機構と、を備え、
遊技機用ソレノイドの一対のプランジャは、一対の伝動機構を介して一対の回動翼片をその回動軸線周りで個別に独立して又は同時に回動変位させることを特徴とする。
【００１２】
このように、一対の回動翼片は、回動軸線周りで個別に（別々に）独立して回動変位することも、同時に回動変位することもできるので、入賞装置（回動翼片）の作動に多様性を付与することができる。しかもそのとき、回動翼片や回動軸線間距離を変更しなくてすむため、従来タイプ（同時回動式）の入賞装置との互換性や、回動翼片、伝動機構等の部品の共用化を図る上で有利である。
【００１３】
具体的には、一対のプランジャの軸線間距離をＬ１とし、作動アームと回動翼片とが係合して形成される一対の係合位置の水平方向の離間距離をＬ２とし、一対の回動翼片の回動軸線間距離をＬ３としたとき、Ｌ１≦Ｌ２＜Ｌ３を満足するように構成すれば、回動翼片、伝動機構等の部品を共用化することができる。したがって、コイルスプール、コイル、プランジャ等を一対ずつ設けるにもかかわらず、入賞装置をコンパクトな構造のまま維持できる。
【００１４】
そして、一対のプランジャの軸線間距離をＬ１とし、遊技球の直径をＤ０としたとき、Ｌ１≦Ｄ０を満足するように構成することもでき、入賞装置を一層コンパクトなものとすることができる。
【００１５】
つまり、コイルの外径をＤ１としたとき、Ｄ１≦Ｌ１、かつＤ１≦Ｄ０を満足するように構成できる。このとき、各コイルは、回動翼片を回動変位させる駆動力をプランジャに付与するための磁気的吸引力を発生させるに十分な巻数を有していればよいことになる。
【００１６】
なお、本発明において「等しく形成される」との記載は、例えば、「製造誤差、測定誤差等を±５％含んで、実質的に又は社会通念上において等価（同一）であること」を排除するものではない。「盤面と直交する方向」との記載についても同様である。
【発明を実施するための最良の形態】
【００１７】
（実施例）
以下、図面を参照しながら発明の実施の形態について説明する。図１は本発明に係る遊技機用入賞装置（以下、単に入賞装置ともいう）の一例を示す斜視図、平面図及び正面図、図２はその入賞装置の分解斜視図である。図１に示すように、入賞装置１は、遊技盤の盤面１００に固定される台板４と、台板４の前方側（遊技者側）に突出した形にて取り付けられる前側装飾部５とを有している。
【００１８】
図２に示すように、台板４と前側装飾部５との間に左右一対の回動翼片６Ｌ，６Ｒが配置されている。各回動翼片６Ｌ，６Ｒは、前側装飾部５に支持され、盤面１００と交差（直交）する前後方向の軸線Ｏ３を有する支持軸６ａ，６ａ周りで回動変位する。これによって、一対の回動翼片６Ｌ，６Ｒを閉じて遊技球が入球しにくくする状態（図１，図２の状態）と、一対の回動翼片６Ｌ，６Ｒの片方又は両方を開いて遊技球が入球し易くする状態（図６参照）とに変化する。
【００１９】
また、入賞装置１は、台板４の後方側において、回動翼片６Ｌ，６Ｒを回動変位させるための遊技機用ソレノイド１０（駆動源）と、ソレノイド１０の前後方向駆動力を回動翼片６Ｌ，６Ｒの回動変位に変換して伝達するための左右一対の伝動機構８Ｌ，８Ｒとを有する。なお、ハウジング７は、ソレノイド１０とともに台板４に固定され、このとき、入賞した遊技球を検知するための検知スイッチ９（入球検知手段）を台板４との間で挟んで保持する。
【００２０】
図３は図２に示す遊技機用ソレノイド（以下、単にソレノイドともいう）の部分分解斜視図、図４はソレノイドの主要部を示す平面図、正面図、側面断面図及び背面図である。図３及び図４に示すように、ソレノイド１０は、磁性体（例えばケイ素鋼板）製で単一部材（一体構造）として構成されるヨーク１１と、非磁性体（例えば合成樹脂）製で左右一対のコイルスプール１２Ｌ，１２Ｒと、励磁電流を通電するための左右一対のコイル１３Ｌ，１３Ｒと、磁性体（例えば鋼棒）製で左右一対のプランジャ１４Ｌ，１４Ｒと、左右一対の圧縮コイルばね１５Ｌ，１５Ｒ（弾性部材）と、を備えている。
【００２１】
ヨーク１１は、遊技盤の盤面１００（図１（ｂ）参照）の裏側に配置され、磁路を形成するとともにソレノイド１０の外枠を構成している。コイルスプール１２Ｌ，１２Ｒは、ヨーク１１に両端部を保持され、また、互いの軸線が平行状で盤面１００（図１（ｂ）参照）と直交する方向に配置された筒状部１２ａ，１２ａを有する（図４（ｃ）参照）。左右のコイルスプール１２Ｌ，１２Ｒは、軸線Ｏ１方向の巻線部長さＬ０及び筒状部１２ａの外径ｄ１がそれぞれ互いに等しく形成されている。コイル１３Ｌ，１３Ｒは、コイルスプール１２Ｌ，１２Ｒの筒状部１２ａの外周にそれぞれ個別に巻線され、左右の回路スイッチＳＬ，ＳＲを介し直流電源Ｅに対して並列に接続されている。左右のコイル１３Ｌ，１３Ｒの巻線径及び巻数（ともに図示せず）がそれぞれ互いに等しく形成されている。また、コイル１３Ｌ，１３Ｒの巻線の方向及び励磁電流の通電方向がそれぞれ互いに共通とされている（図５参照）。
【００２２】
プランジャ１４Ｌ，１４Ｒは、コイルスプール１２Ｌ，１２Ｒの筒状部１２ａの内側にそれぞれ挿入・配置されている。プランジャ１４Ｌ，１４Ｒは、コイル１３Ｌ，１３Ｒの通電時に発生する磁気的吸引力によって、盤面１００（図１（ｂ）参照）から遠ざかる向きに移動して（図５参照）、対応する回動翼片６Ｌ，６Ｒを選択的に（個別に又は同時に）回動変位させる（図６参照）。左右のプランジャ１４Ｌ，１４Ｒは、筒状部１２ａに対する挿入部１４ａの外径ｄ２が互いに等しく形成されている。圧縮コイルばね１５Ｌ，１５Ｒは、プランジャ１４Ｌ，１４Ｒの２段式のフランジ部１４ｂとヨーク１１との間に介装され、プランジャ１４Ｌ，１４Ｒを盤面１００（図１（ｂ）参照）に近づける向きに常時付勢している。
【００２３】
図２に戻り、左右の伝動機構８Ｌ，８Ｒは、左右のプランジャ１４Ｌ，１４Ｒの駆動力を左右の回動翼片６Ｌ，６Ｒに伝達するために、平面視で盤面１００（図１（ｂ）参照）と直交する方向Ｏ２に延びるとともに、側面視でＬ字状に形成された作動アーム８ａを有する。作動アーム８ａは、Ｌ字状の折曲部において、盤面１００（図１（ｂ）参照）と平行状の支持軸８ｂによって台板４に軸線Ｏ４周りに回動可能に取り付けられている。作動アーム８ａの上端部では、内面側に形成された係合軸８ｃ（第一係合部）が、プランジャ１４Ｌ，１４Ｒの２段式のフランジ部１４ｂ（係合部）の間に入り込んでいる。一方、作動アーム８ａの前方側では、先端部に形成された係合凹部８ｄ（第二係合部）が、回動翼片６Ｌ，６Ｒから後方に突出する突起６ｂ（係合部）と係合している。
【００２４】
図２及び図１（ｂ）に示すように、左右のプランジャ１４Ｌ，１４Ｒの軸線Ｏ１間距離をＬ１とする。また、作動アーム８ａ（伝動機構８Ｌ，８Ｒ）の係合凹部８ｄと回動翼片６Ｌ，６Ｒとが係合して形成される左右の係合位置の水平方向の離間距離をＬ２とする。さらに、左右の回動翼片６Ｌ，６Ｒの回動軸線Ｏ３間距離をＬ３とする。この実施例では、Ｌ１＜Ｌ２＜Ｌ３が成立しているので、ソレノイド１０及び入賞装置１をコンパクトに構成できる。
【００２５】
そして、左右のプランジャ１４Ｌ，１４Ｒの軸線Ｏ１間距離Ｌ１が、遊技球の直径Ｄ０に対して、Ｌ１≦Ｄ０とすることもできる。さらにこのとき、コイル１３Ｌ，１３Ｒの外径Ｄ１について、Ｄ１≦Ｌ１、及びＤ１≦Ｄ０となるようにも構成できる。これらによって、入賞装置１は一層コンパクトなものとなる。
【００２６】
次に、図５及び図６を参照して、ソレノイド１０及び入賞装置１の作動について説明する。なお、図５において、実線矢印は励磁電流の通電方向を表わし、鎖線矢印は磁界の方向（磁束の向き）を表わしている。
【００２７】
（１）左コイル１３Ｌ励磁（図５（ａ））→左回動翼片６Ｌ開作動（図６（ａ））
図１に示す両回動翼片６Ｌ，６Ｒが閉の状態から、左回路スイッチＳＬ（図３参照）のみが閉じられると、左コイル１３Ｌに励磁電流が流れ、左コイル１３Ｌには磁界（磁束）が発生する。磁界（磁束）の発生に伴って左プランジャ１４Ｌには磁気的吸引力が作用し、左プランジャ１４Ｌは左圧縮コイルばね１５Ｌの付勢力に抗して左コイルスプール１２Ｌ（筒状部１２ａ）の内側に引き込まれる（すなわち、盤面１００（図１（ｄ）参照）から遠ざかる向きに移動する）。この左プランジャ１４Ｌの移動によって、左伝動機構８Ｌは支持軸８ｂの軸線Ｏ４周りで作動アーム８ａが回動し、前方側先端部の係合凹部８ｄが左回動翼片６Ｌの突起６ｂと係合しつつ上方回動する（図２参照）。これにより、左回動翼片６Ｌは支持軸６ａの軸線Ｏ３周りで下方に傾倒して（開いて）、遊技球が入球しやすい図６（ａ）の状態になる。このように、入賞装置１は、左回動翼片６Ｌが傾倒し右回動翼片６Ｒが起立した半開き状態となる。
【００２８】
（２）右コイル１３Ｒ励磁（図５（ｂ））→右回動翼片６Ｒ開作動（図６（ｂ））
次に、左回路スイッチＳＬが開かれ右回路スイッチＳＲが閉じられると（図３参照）、右コイル１３Ｒに励磁電流が流れ、右コイル１３Ｒには磁界（磁束）が発生する。磁界（磁束）の発生に伴って右プランジャ１４Ｒには磁気的吸引力が作用し、右プランジャ１４Ｒは右圧縮コイルばね１５Ｒの付勢力に抗して右コイルスプール１２Ｒ（筒状部１２ａ）の内側に引き込まれる（すなわち、盤面１００（図１（ｄ）参照）から遠ざかる向きに移動する）。この右プランジャ１４Ｌの移動によって、右伝動機構８Ｌは支持軸８ｂの軸線Ｏ４周りで作動アーム８ａが回動し、前方側先端部の係合凹部８ｄが右回動翼片６Ｒの突起６ｂと係合しつつ上方回動する（図２参照）。これにより、右回動翼片６Ｒは支持軸６ａの軸線Ｏ３周りで下方に傾倒して（開いて）、遊技球が入球しやすい図６（ｂ）の状態になる。
【００２９】
一方、左プランジャ１４Ｌは、右コイル１３Ｒの消磁と左圧縮コイルばね１５Ｌの付勢力とによって左コイルスプール１２Ｌ（筒状部１２ａ）から外に引き出される（すなわち、盤面１００（図１（ｄ）参照）に近づく向きに移動する）。この左プランジャ１４Ｌの移動によって、左回動翼片６Ｌは支持軸６ａの軸線Ｏ３周りで上方に起立して（閉じて）、遊技球が入球しにくい図６（ｂ）の状態になる。このようにして、入賞装置１は、左回動翼片６Ｌが起立し右回動翼片６Ｒが傾倒した半開き状態となる。
【００３０】
（３）両コイル１３Ｌ，１３Ｒ励磁（図５（ｃ））→両回動翼片６Ｌ，６Ｒ開作動（図６（ｃ））
右回路スイッチＳＲを閉じたまま、さらに、左回路スイッチＳＬを閉じると（図３参照）、（１）の場合と同様に、左プランジャ１４Ｌは左圧縮コイルばね１５Ｌの付勢力に抗して左コイルスプール１２Ｌ（筒状部１２ａ）の内側に引き込まれる。このとき、両コイル１３Ｌ，１３Ｒには同じ向きの磁界（磁束）が作用するため、両プランジャ１４Ｌ，１４Ｒに作用する磁気的吸引力に不安定さを生じない。この左プランジャ１４Ｌの移動によって、再び左回動翼片６Ｌは支持軸６ａの軸線Ｏ３周りで下方に傾倒する（開く）。その結果、入賞装置１は、両回動翼片６Ｌ，６Ｒがともに傾倒して遊技球が最も入球しやすい全開状態となる。
【００３１】
上記した通り、コイルスプール１２Ｌ，１２Ｒ、コイル１３Ｌ，１３Ｒ、プランジャ１４Ｌ，１４Ｒの寸法等を互いに等しく形成しているので、製造時間の短縮を図れ、従来の遊技機との互換性や部品の共用化にも有利である。
【００３２】
特に、左右のコイル１３Ｌ，１３Ｒにおいて、巻線径及び巻数をそれぞれ互いに等しく形成し、巻線の方向及び励磁電流の通電方向をそれぞれ互いに共通としている。したがって、左右いずれかのコイル１３Ｌ，１３Ｒに単独で励磁電流を通電したときには、磁界の強さ（磁束密度）が一定となるので、プランジャ１４Ｌ，１４Ｒを吸引する磁気的吸引力（すなわち、プランジャ１４Ｌ，１４Ｒの作動）にコイル１３Ｌ，１３Ｒ毎の不安定さを生じない。一方、左右のコイル１３Ｌ，１３Ｒに同時に通電したときには、各コイル１３Ｌ，１３Ｒで発生する磁界（磁束）が互いに打ち消し合う方向に作用しない（すなわち、各コイル１３Ｌ，１３ＲのＮ極とＳ極とが同じ方向に形成される；図５（ｃ）参照）ので、プランジャ１４Ｌ，１４Ｒを吸引する磁気的吸引力（すなわち、プランジャ１４Ｌ，１４Ｒの作動）に通電態様毎の不安定さを生じない。
【００３３】
以上の実施例では、プランジャ１４Ｌ，１４Ｒは、コイル１３Ｌ，１３Ｒの励磁（通電）によってコイルスプール１２Ｌ，１２Ｒに引き込まれる動きをそのまま駆動力として用いるプル型で説明した。プランジャ１４Ｌ，１４Ｒは、コイルスプール１２Ｌ，１２Ｒに引き込まれる動きを突き出す動きの駆動力に変換するプッシュ型を用いてもよい。
【図面の簡単な説明】
【００３４】
【図１】本発明に係る入賞装置の一例を示す斜視図、平面図及び正面図。
【図２】図１の入賞装置の分解斜視図。
【図３】図２に示すソレノイドの部分分解斜視図。
【図４】図３のソレノイドの主要部を示す平面図、正面図、側面断面図及び背面図。
【図５】ソレノイドの作動について、左コイル通電、右コイル通電及び両コイル通電の各状態で示す平面説明図。
【図６】入賞装置の作動について、図５に対応させて示す斜視図。
【符号の説明】
【００３５】
１              入賞装置（遊技機用入賞装置）
６Ｌ，６Ｒ      回動翼片
６ｂ            突起（係合部）
８Ｌ，８Ｒ      伝動機構
８ａ            作動アーム
８ｃ            係合軸（第一係合部）
８ｄ            係合凹部（第二係合部）
１０            ソレノイド（遊技機用ソレノイド；駆動源）
１１            ヨーク
１２Ｌ，１２Ｒ  コイルスプール
１３Ｌ，１３Ｒ  コイル
１４Ｌ，１４Ｒ  プランジャ
１４ｂ          フランジ部（係合部）
１００          盤面
【図１】
2006181082.tif 000003
【図２】
2006181082.tif 000004
【図３】
2006181082.tif 000005
【図４】
2006181082.tif 000006
【図５】
2006181082.tif 000007
【図６】
2006181082.tif 000008